(57)【要約】【課題】  商品の製造工程での評価データを、顧客に販売する提供価格に自動的に反映させる。【解決手段】  メーカ端末１０は、商品５０の製造工程での評価点を製造評価データベース１４に格納し、商品ＩＤをキーに製造評価データベース１４から評価点を読み出して標準価格と共にＩＣタグ６０にＩＣタグライタ１７で書き込む。製造元企業１は、ＩＣタグ６０を付加して商品５０を出荷する。ＩＣタグ６０には流通工程での評価点が書き加えられる。流通端末２０は、ＩＣタグ６０からＩＣタグリーダ２６で読み出した評価点に、商品５０の先月売り上げや市場動向も加味して、標準価格から顧客に提供する提供価格を算出する。顧客端末３０は、ＩＣタグリーダ３６を用いてＩＣタグ６０から評価点を読み出すことができる。【選択図】      図１
2007072982.tif 000002
【特許請求の範囲】
【請求項１】
商品の製造工程での評価点を前記商品に添付されるタグに書き込む手段と、前記タグから前記評価点を読み出す手段と、あらかじめ設定された標準価格と読み出した前記評価点とに基づいて前記商品を顧客に提供する提供価格を算出する算出手段とを備えたことを特徴とする価格決定システム。
【請求項２】
さらに、顧客端末を備え、前記顧客端末は、前記タグから評価点を読み出すタグリーダと、読み出した評価点を表示する表示手段とを有することを特徴とする請求項１記載の価格決定システム。
【請求項３】
前記タグは、流通工程での評価点を書き加えられることを特徴とする請求項１または２記載の価格決定システム。
【請求項４】
前記評価点を付与する評価項目を複数項目有し、複数の前記評価項目に対する重み付け係数を有することを特徴とする請求項１、２または３記載の価格決定システム。
【請求項５】
前記評価点を付与する評価項目を複数項目有し、それぞれの前記評価項目に対して複数の評価要素を有し、前記算出手段は、前記標準価格と前記複数の評価要素に対して付与された評価点とを演算して前記提供価格を算出することを特徴とする請求項１、２または３記載の価格決定システム。
【請求項６】
メーカ端末と、流通端末と、商品に添付されるタグとを備え、
前記メーカ端末は、前記商品の製造工程での評価点を記憶装置の製造評価データベースに格納する手段と、前記商品の商品ＩＤをキーに前記製造評価データベースから前記評価点を読み出す手段と、読み出した前記評価点を前記タグに書き込むタグライタとを有し、
前記流通端末は、前記タグから前記評価点を読み出すタグリーダと、あらかじめ設定された標準価格と読み出した前記評価点とに基づいて前記商品を顧客に提供する提供価格を算出する算出手段とを有することを特徴とする価格決定システム。
【請求項７】
さらに、顧客端末を備え、前記顧客端末は、前記タグから評価点を読み出すタグリーダと、読み出した評価点を表示する表示手段とを有することを特徴とする請求項６記載の価格決定システム。
【請求項８】
前記タグは、流通工程での評価点を書き加えられることを特徴とする請求項６または７記載の価格決定システム。
【請求項９】
前記評価点を付与する評価項目を複数項目有し、複数の前記評価項目に対する重み付け係数を有することを特徴とする請求項６、７または８記載の価格決定システム。
【請求項１０】
前記評価点を付与する評価項目を複数項目有し、それぞれの前記評価項目に対して複数の評価要素を有し、前記算出手段は、前記標準価格と前記複数の評価要素に対して付与された評価点とを演算して前記提供価格を算出することを特徴とする請求項６、７または８記載の価格決定システム。
【請求項１１】
前記流通端末は、前記商品の売上実績データを記憶装置の商品データベースに格納する手段を有し、前記算出手段は、前記商品の商品分類ＩＤをキーに前記商品データベースから売上実績データを読み出して前記提供価格の算出に使用することを特徴とする請求項６、７、８、９または１０記載の価格決定システム。
【請求項１２】
前記流通端末は、前記商品の市場動向データを記憶装置の商品データベースに格納する手段を有し、前記算出手段は、前記商品の商品分類ＩＤをキーに前記商品データベースから市場動向データを読み出して前記提供価格の算出に使用することを特徴とする請求項６、７、８、９、１０または１１記載の価格決定システム。
【請求項１３】
商品の製造工程での評価点を前記商品に添付されるタグにタグライタを用いて書き込むステップと、タグリーダを用いて前記タグから前記評価点を読み出すステップと、あらかじめ設定された標準価格と読み出した前記評価点とに基づいて前記商品を顧客に提供する提供価格を算出するステップとを備えたことを特徴とする価格決定方法。
【請求項１４】
商品の製造工程での評価点を書き込まれて前記商品に添付されたタグから前記評価点を読み出すタグリーダと、あらかじめ設定された標準価格と読み出した前記評価点とに基づいて前記商品を顧客に提供する提供価格を算出する算出手段とを有することを特徴とする流通端末。
【請求項１５】
商品の製造工程での評価点を書き込まれて前記商品に添付されたタグからタグリーダにより前記評価点を読み出す処理と、あらかじめ設定された標準価格と読み出した前記評価点とに基づいて前記商品を顧客に提供する提供価格を算出する処理とをコンピュータに実行させるためのプログラム。
【発明の詳細な説明】
【技術分野】
【０００１】
本発明は価格決定システム、価格決定方法、およびプログラムに関し、特に、商品を顧客に販売する提供価格を決定する価格決定システム、価格決定方法、およびプログラムに関する。
【背景技術】
【０００２】
従来のビジネス方法では、商社・販売店等が仕入品を顧客へ提供する時の価格は初期時に一律に設定されているのが一般的である。商社・販売店側としても商品毎に機能の長所・短所があっても、単一の提供価格に決定しなければならず、また、仕入先が単一となった後も、商品の試験成績が平均以下であっても、顧客への提供価格を上下させるシステムはない。
【０００３】
また、市場での売れ筋情報等のみから提供価格を上下させる事はできていたが、仕入商品の試験検査結果に基づいた機能の優劣の情報も含めて提供価格を上下させる事は困難であった。
【０００４】
特許文献１には、機械要素商品の完成後の検査内容まで履歴情報を管理する品質管理方法が記載されている。
【０００５】
特許文献２には、農産物等の生産、流通過程での状況を把握する管理装置が記載されている。
【０００６】
【特許文献１】特開２００４−３３４８９１号公報（第１１−１５ページ、図１）
【特許文献２】特開２００１−１９２１０５号公報（第３−５ページ、図１）
【発明の開示】
【発明が解決しようとする課題】
【０００７】
上述した従来の価格決定システムにおいては、製造工程での評価データを提供価格算出に織り込むシステムがなかったため、製造工程での評価データを提供価格に自動的に反映させることができないという問題点があった。
【０００８】
本発明の目的は、上述した従来の価格決定システムの課題である製造工程での評価データを提供価格に自動的に反映させることができない問題を解決する価格決定システム、価格決定方法、およびプログラムを提供することにある。
【課題を解決するための手段】
【０００９】
本発明の価格決定システムは、商品の製造工程での評価点を前記商品に添付されるタグに書き込む手段と、前記タグから前記評価点を読み出す手段と、あらかじめ設定された標準価格と読み出した前記評価点とに基づいて前記商品を顧客に提供する提供価格を算出する算出手段とを備えたことを特徴とする。
【００１０】
本発明の価格決定システムは、さらに、顧客端末を備え、前記顧客端末は、前記タグから評価点を読み出すタグリーダと、読み出した評価点を表示する表示手段とを有することを特徴としてもよい。
【００１１】
本発明の価格決定システムは、前記タグは、流通工程での評価点を書き加えられることを特徴としてもよい。
【００１２】
本発明の価格決定システムは、前記評価点を付与する評価項目を複数項目有し、複数の前記評価項目に対する重み付け係数を有することを特徴としてもよい。
【００１３】
本発明の価格決定システムは、前記評価点を付与する評価項目を複数項目有し、それぞれの前記評価項目に対して複数の評価要素を有し、前記算出手段は、前記標準価格と前記複数の評価要素に対して付与された評価点とを演算して前記提供価格を算出することを特徴としてもよい。
【００１４】
本発明の価格決定システムは、メーカ端末と、流通端末と、商品に添付されるタグとを備え、
前記メーカ端末は、前記商品の製造工程での評価点を記憶装置の製造評価データベースに格納する手段と、前記商品の商品ＩＤをキーに前記製造評価データベースから前記評価点を読み出す手段と、読み出した前記評価点を前記タグに書き込むタグライタとを有し、
前記流通端末は、前記タグから前記評価点を読み出すタグリーダと、あらかじめ設定された標準価格と読み出した前記評価点とに基づいて前記商品を顧客に提供する提供価格を算出する算出手段とを有することを特徴としてもよい。
【００１５】
本発明の価格決定システムは、前記流通端末は、前記商品の売上実績データを記憶装置の商品データベースに格納する手段を有し、前記算出手段は、前記商品の商品分類ＩＤをキーに前記商品データベースから売上実績データを読み出して前記提供価格の算出に使用することを特徴としてもよい。
【００１６】
本発明の価格決定システムは、前記流通端末は、前記商品の市場動向データを記憶装置の商品データベースに格納する手段を有し、前記算出手段は、前記商品の商品分類ＩＤをキーに前記商品データベースから市場動向データを読み出して前記提供価格の算出に使用することを特徴してもよい。
【００１７】
本発明の価格決定方法は、商品の製造工程での評価点を前記商品に添付されるタグにタグライタを用いて書き込むステップと、タグリーダを用いて前記タグから前記評価点を読み出すステップと、あらかじめ設定された標準価格と読み出した前記評価点とに基づいて前記商品を顧客に提供する提供価格を算出するステップとを備えたことを特徴とする。
【００１８】
本発明の流通端末は、商品の製造工程での評価点を書き込まれて前記商品に添付されたタグから前記評価点を読み出すタグリーダと、あらかじめ設定された標準価格と読み出した前記評価点とに基づいて前記商品を顧客に提供する提供価格を算出する算出手段とを有することを特徴とする。
【００１９】
本発明のプログラムは、商品の製造工程での評価点を書き込まれて前記商品に添付されたタグからタグリーダにより前記評価点を読み出す処理と、あらかじめ設定された標準価格と読み出した前記評価点とに基づいて前記商品を顧客に提供する提供価格を算出する処理とをコンピュータに実行させる。
【発明の効果】
【００２０】
本発明は、タグに書き込まれた製造工程の評価データを販売店側で読み出して提供価格算出に利用することにより、製造工程での評価データを提供価格に自動的に反映可能となるという効果を有している。
【発明を実施するための最良の形態】
【００２１】
本発明を実施するための最良の形態について図面を参照して詳細に説明する。図１は本発明の実施の形態の全体構成を示すブロック図である。本発明の実施の形態は、メーカ端末１０、流通端末２０、顧客端末３０、商品５０、ＩＣ（integrated circuit）タグ６０を含む。商品５０は、製造元企業１から商社・販売店２を経由し顧客３へ行き渡る。製造元企業１は、ＩＣタグ６０を添付して商品５０を出荷する。
【００２２】
メーカ端末１０は製造元企業１が使用するパーソナルコンピュータ等の情報処理装置である。メーカ端末１０は内部または外部に、キーボードやマウス等の入力部１１、ＬＣＤ（liquid crystal device）等の表示部１２、データを保存する記憶装置１３、ＩＣタグ６０にデータを書き込むＩＣタグライタ１７を有する。記憶装置１３は製造評価データベース１４を格納する。
【００２３】
流通端末２０は商社・販売店２が使用するパーソナルコンピュータ等の情報処理装置である。流通端末２０は、メーカ端末１０と同様に、入力部２１、表示部２２、記憶装置２３、ＩＣタグライタ２７を有し、さらに、ＩＣタグ６０からデータを読み取るＩＣタグリーダ２６を有する。記憶装置２３は商品データベース２４を格納する。
【００２４】
顧客端末３０は商社・販売店２の顧客３が使用する携帯電話機やパーソナルコンピュータ等の情報処理装置である。顧客端末３０は内部または外部に、ボタン、キーボード、マウス等の入力部３１、ＬＣＤ等の表示部３２、データを保存する記憶装置（図示せず）、ＩＣタグリーダ２６を有する。
【００２５】
ＩＣタグ６０としてはＲＦＩＤ（Radio Frequency Identification）タグが一般的である。ＩＣタグ６０の代わりに、ＩＣを使用しないタグ、例えば２次元バーコードを使用したタグを用いることも可能である。
【００２６】
１個の商品に対する基本的な構成は、１個の製造元企業１、１個の販売店２、複数の顧客３であり、製造元企業１と販売店２の間に０〜複数の商社２が入る。商品５０を複数の企業が関わって製造する場合は、製造元企業１は複数となる。
【００２７】
図２は製造元企業１の構成詳細を示す図である。製造元企業１では、商品５０の製造各工程での評価データをメーカ端末１０ａ、１０ｂ、１０ｃ、１０ｄが商品ＩＤとともに製造評価データベース１４に格納する。メーカ端末１０ｅは商品ＩＤをキーに該当商品の評価データを製造評価データベース１４から読み出して、ＩＤタグライタ１７を使用してＩＤタグ６０に書き込む。メーカ端末１０の機能は、図１に示すように１台の端末に集中してもよく、図２に示すように複数の端末に分散してもよい。
【００２８】
図２は、製造元企業１で検査工程を経過した後に商品５０にＩＣタグ６０を添付する例を示している。早い工程（例えば調製工程）でＩＣタグ６０を商品５０に添付して、後工程（例えば検査工程）では評価データをＩＣタグ６０に書き加えるようにしてもよい。
【００２９】
商社・販売店２では、流通端末２０がＩＣタグリーダ２６を使用してＩＣタグ６０から評価データを読み出すことができる。流通端末２０は読み出した製造工程での評価データに商品５０の市場評価データ等も加味して、標準価格から顧客３への提供価格を算出する。標準価格とは、製造元企業１が商社・販売店２への出荷前に、初期的に該当商品に対して付与する価格である。
【００３０】
顧客３は、自身が所有している顧客端末３０でＩＣタグリーダ３６を使用してＩＣタグ６０から情報を入手することができる。また、店舗に設置された顧客端末３０を使用して顧客３が情報を入手できるようにしてもよい。
【００３１】
次に、動作について説明する。図３は製造工程で評価データをＩＣタグ６０に書き込む動作を示すフローチャートである。
（工程Ｓ０１）
製造元企業１は、商品５０を製造するための材料を購入したとき（ステップＡ３１１）、材料の種類を判別する（ステップＡ３１２）。製造元企業１は、メーカ端末１０の表示部１２に表示される工程名称：材料欄に、材料の種類を入力部１１を使用して入力する（ステップＡ３１３）。製造元企業１は、材料の種類に対応して出来具合評価値を定めた材料評価対応表をあらかじめ記憶装置１３に格納しておく。メーカ端末１０は入力された材料の種類に対応する評価値を材料評価対応表から抽出して、製造評価データベース１４の「ＳＳ０１結果（評価項目：材料、評価要素：出来具合）に格納する（ステップＡ３１４）。
（工程Ｓ０２）
製造元企業１は、商品５０を組み立て（ステップＡ３２１）、組み立ての出来具合を確認する（ステップＡ３２２）。製造元企業１は、組み立て出来具合の評価値をメーカ端末１０に入力する（ステップＡ３２３）。メーカ端末１０は入力された評価値を製造評価データベース１４の「ＳＳ０２結果（評価項目：組み立て、評価要素：出来具合）に格納する（ステップＡ３２４）。
（工程Ｓ０３）
製造元企業１は、商品５０を調製し（ステップＡ３３１）、調製の出来具合を確認する（ステップＡ３３２）。製造元企業１は、調製出来具合の評価値をメーカ端末１０に入力する（ステップＡ３３３）。メーカ端末１０は入力された評価値を製造評価データベース１４の「ＳＳ０３結果（評価項目：調製、評価要素：出来具合）に格納する（ステップＡ３３４）。
（工程Ｓ０４）
製造元企業１は、商品５０を試験・検査し（ステップＡ３４１）、試験・検査結果を確認する（ステップＡ３４２）。製造元企業１は、検査成績をメーカ端末１０に入力する（ステップＡ３４３）。メーカ端末１０は入力された検査成績を製造評価データベース１４の「ＳＳ０４結果（評価項目：検査結果、評価要素：出来具合）に格納する（ステップＡ３４４）。
【００３２】
製造工程を終了すると、メーカ端末１０は製造評価データベース１４から商品ＩＤをキーにして「ＳＳ０１結果」〜「ＳＳ０４結果」のデータを読み出す。メーカ端末１０は、読み出したデータをＩＣタグライタ１７を使用してＩＣタグ６０に書き込む（ステップＡ３４５）。製造元企業１は、ＩＣタグ６０を商品５０に付加する（ステップＡ３４６）。図４はＩＣタグ６０に書き込まれるデータの一例を示す図である。ステップＡ３４５ではＳＳ０１結果からＳＳ０４結果までの評価値が書き込まれる。ステップＡ３４５では図５に示すような商品ＩＤと標準価格とを含むデータも書き込まれる。
【００３３】
図６は流通工程で評価データをＩＣタグ６０に書き込む動作を示すフローチャートである。
（工程Ｓ０５）
製造元企業１は、ＩＣタグ６０を添付した商品５０を商社・販売店２向けに出荷する（ステップＡ３５１）。商品５０の出荷・流通状態が確認され（ステップＡ３５２）、その評価値が流通端末２０に入力される（ステップＡ３５３）。出荷・流通状態確認とは、例えば外観チェック、包装チェック等である。入力された評価値はＩＣタグライタ２７により「ＳＳ０５結果（評価項目：出荷、評価要素：出来具合）としてＩＣタグ６０に書き込まれる（ステップＡ３５４）。工程Ｓ０５の動作は、中間商社、運送業者等が行うものであるが、製造元企業１が出荷時に行ってもよく、流通工程が短い場合は省略してもよい。
（工程Ｓ０６、…、Ｓ０ｎ）
流通工程が長い場合は、工程Ｓ０５の後の工程においても、中間商社、運送業者等が工程Ｓ０５と同様のステップを実施する（ステップＡ３６１〜Ａ３６４、…、Ａ３ｎ１〜Ａ３ｎ４）。本実施の形態では流通工程での工程Ｓ０６、…、Ｓ０ｎはないものとして以降の説明を行う。
【００３４】
図７は商社・販売店２が商品５０を顧客３に販売する提供価格を決定する動作を示すフローチャートである。図８は先月の売り上げ、市場動向と評価値との関係を示す図であり、このデータは商品データベース２４にあらかじめ格納されている。図９は評価値マトリクス図である。
【００３５】
商社・販売店２では、商品５０に添付されたＩＣタグ６０から流通端末２０がＩＣタグリーダ２６を使用してデータを読み出す（ステップＡ４０１）。
【００３６】
流通端末２０は、記憶装置２３に格納されている商品データベース２４から商品ＩＤをキーに商品５０の先月の売り上げ情報を読み出して確認する（ステップＡ４０２）。流通端末２０は、あらかじめ記憶装置２３に格納されている基準に基づいて、先月の売り上げ情報からＳＴ０６（重み付き係数）評価値を決定する（ステップＡ４０３）。例えば、該当商品の先月の売り上げが優良であった場合は、重み付け係数を１．２とする。また、流通端末２０は、商品データベース２４から商品ＩＤをキーに商品５０の市場動向を読み出して確認し（ステップＡ４０４）、市場動向からＳＵ０７（優先度係数）評価値を決定する（ステップＡ４０５）。市場動向評価値としては、例えば、該当商品の市場規模が拡大する予測等があった場合は、ランクＡとして市場規模評価値を１．２とする。
【００３７】
このようにして図９に示す評価値マトリクス図が作成される。評価項目が「工程Ｓ０１、材料」〜「工程Ｓ０７、市場動向」の７項目である。評価要素が「ＳＳｎｎ、出来具合」、「ＳＴｎｎ、重み付け係数」、「ＳＵｎｎ、優先度」の３項目である。材料や組み立て等の「優先度」は、通常は優先度の違いを付けないが、例えば、新規製造ラインの導入時を考えて、新型ライン通過商品は１．１、旧型ライン通過商品は０．９のように設定してもよい。
【００３８】
このようにして、ＳＳｎｎ、ＳＴｎｎ、ＳＵｎｎの値が決定された後、流通端末２０は次の計算式で提供価格Ｓを決定する。
Ｓ（提供価格）＝標準価格＊ΣSSnn*STnn*SUnn(01からnnまでの和)÷ｎｎ
本実施の形態では、標準価格が50,000円（図５）と図９の評価値を用いて、
Ｓ＝50,000*(1.1*1.0*1.0+0.9*1.0*1.0+1.1*1.0*1.0+1.1*1.0*1.0+1.1*1.0*1.0+1.0*0.8*1.0+1.0*1.0*0.8)/7＝49,285
従って、提供価格として約49,285円と算出される。
【００３９】
製造工程での評価点に加えて流通工程や売り上げ・市場動向等の評価点を用いることにより、より高精度にかつ現状に即した提供価格を算出することができる。また、評価要素は１個でもよいが、複数の評価要素を用いることでより高精度に提供価格を算出することができる。
【００４０】
本発明によれば、商社・販売店等が試験検査成績がかなり不安定な仕入れ商品に対しても、検査試験成績結果をもとに、提供価格を合理的に定めることができる。従って、仕入先の新商品の初期展開時等にリスクを最小限にして仕入れ商品を仕入れることが可能となる。
【００４１】
また、市場の売れ筋情報によって提供価格を可変設定させることができるので、医薬品、化粧品の他、電機機器品等の商社・販売店等への仕入れ品への利用が考えられる。
【００４２】
本発明の実施の形態の流通端末２０の動作はコンピュータ・プログラム処理により行わせることが可能である。すなわち、記録媒体に記録したプログラムを流通端末２０に読み込ませるか、あるいは、ネットワークからプログラムを流通端末２０に読み込ませて、実施の形態で説明した動作を実行させる。
【図面の簡単な説明】
【００４３】
【図１】本発明の実施の形態の全体構成を示すブロック図である。
【図２】製造元企業の構成詳細を示す図である。
【図３】製造工程で評価データをＩＣタグに書き込む動作を示すフローチャートである。
【図４】ＩＣタグに書き込まれるデータの一例を示す図である。
【図５】ＩＣタグに書き込まれるデータの一例を示す図である。
【図６】流通工程で評価データをＩＣタグに書き込む動作を示すフローチャートである。
【図７】商社・販売店が提供価格を決定する動作を示すフローチャートである。
【図８】先月の売り上げ、市場動向と評価値との関係を示す図である。
【図９】評価点マトリクスを示す図である。
【符号の説明】
【００４４】
１    製造元企業
２    商社・販売店
３    顧客
１０    メーカ端末
１１    入力部
１２    表示部
１３    記憶装置
１４    製造評価データベース
１７    ＩＣタグライタ
２０    流通端末
２１    入力部
２２    表示部
２３    記憶装置
２４    商品データベース
２６    ＩＣタグリーダ
２７    ＩＣタグライタ
３０    顧客端末
３１    入力部
３２    表示部
３６    ＩＣタグリーダ
５０    商品
６０    ＩＣタグ
【図１】
2007072982.tif 000003
【図２】
2007072982.tif 000004
【図３】
2007072982.tif 000005
【図４】
2007072982.tif 000006
【図５】
2007072982.tif 000007
【図６】
2007072982.tif 000008
【図７】
2007072982.tif 000009
【図８】
2007072982.tif 000010
【図９】
2007072982.tif 000011